(57)【要約】【課題】  噴霧液滴の連続膜を有効に途切れさせることができ、清掃も容易且つ確実に行うことができる静電噴霧装置を提供する。【解決手段】  静電噴霧部６に電圧を供給する電線１２を、電気絶縁性を有する電線ホルダ１７でブーム４，５に支持させる。前記電線ホルダ１７は、前記電線１２が挿通される内筒部１８と、該内筒部１８の長さ方向の双方へと開口する環状隙間１９を前記内筒部１８の回りに画成する外筒部２０を備える。静電噴霧により電荷を帯びた噴霧液滴Ｓは、前記電線１２の露出部及び前記外筒部２０の外表面には付着するとしても、前記環状隙間１９には入り込み難い。このため、前記噴霧液滴Ｓの連続膜は前記環状隙間１９で途切れることになり、短絡や漏電等による電圧降下が防止される。また、前記環状隙間１９の両端が開口しその全長に渡って連通しているので、前記環状隙間１９内を洗浄し易い。【選択図】    図２
2008142663.tif 000002
【特許請求の範囲】
【請求項１】
ブーム（４，５）の長さ方向に沿って配設された複数の静電噴霧部（６）と、該複数の静電噴霧部（６）のそれぞれに静電噴霧用の電圧を供給する電線（１２）と、該各電線（１２）を前記ブーム（４，５）に対して保持させるための電気絶縁性を有する電線ホルダ（１７）を備えている静電噴霧装置（１）であって、前記各電線ホルダ（１７）は、前記電線（１２）が挿通される内筒部（１８）と、該内筒部（１８）の長さ方向の双方へと開口する環状隙間（１９）を前記内筒部（１８）の回りに画成する外筒部（２０）と、前記環状隙間（１９）を仕切ることなく前記内筒部（１８）と前記外筒部（２０）を該外筒部（２０）の内部で互いに連結する連結部（２１）を備えている、静電噴霧装置。
【請求項２】
前記複数の静電噴霧部（６）が前記電線（１２）で直列に接続され、前記連結部（２１）が、前記外筒部（２０）の長さ方向の中央位置に配設されている、請求項１に記載の静電噴霧装置。
【請求項３】
静電噴霧用の電圧を静電噴霧部（６）へと供給する電線（１２）を固定部（４，５）に対して保持させるための、電気絶縁性を有する電線ホルダ（１７）であって、前記電線（１２）が挿通される内筒部（１８）と、該内筒部（１８）の長さ方向の双方へと開口する環状隙間（１９）を前記内筒部（１８）の回りに画成する外筒部（２０）と、前記環状隙間（１９）を仕切ることなく前記内筒部（１８）と前記外筒部（２０）を該外筒部（２０）の内部で互いに連結する連結部（２１）を備えている、電線ホルダ。
【請求項４】
前記連結部（２１）が、前記外筒部（２０）の長さ方向の中央位置に配設されている、請求項３に記載の電線ホルダ。
【発明の詳細な説明】
【技術分野】
【０００１】
本発明は、導電性液体の噴霧液滴を帯電させ、対象物に効率的に付着させるための静電噴霧装置に関する。本発明はまた、該静電噴霧装置の構成要素として用いて好適な電線ホルダに関する。
【背景技術】
【０００２】
静電噴霧装置の一種として、ブームの長さ方向に沿って配設された複数の静電噴霧部のそれぞれに電線を介して電圧を供給し、前記各静電噴霧部からの噴霧液滴に電荷を付与することにより、対象物への前記噴霧液滴の付着性を向上させるようにしたものが知られている。
【０００３】
前記の如き静電噴霧装置においては、前記各静電噴霧部から噴霧された導電性液滴が、前記電線の回りにも付着することが多い。噴霧作業の連続により前記電線への液滴の付着範囲が大きくなると、電圧の漏れが大きくなり、有効な静電付与が行われにくくなる。また、前記電線の表面に付着した噴霧液滴を通じて前記ブームとの短絡が起こると、静電付与が行われなくなってしまう。
【０００４】
そこで従来、下記特許文献１では、その図５及び図６に示されているように、ブームに電線を保持させるための支持体の外周の全周に渡って環状凹部を設けた漏電防止部材が提案されている。そして、前記環状凹部の内部には噴霧液滴が入り込みにくいので、液滴の連続膜を前記環状凹部で途切れさせることができ、漏電の発生を防止することができるとされている。
【０００５】
また、前記特許文献１では、その図１乃至図４に示されているように、電線が挿通される筒状の支持体の外周の全周に渡って環状凹部を設けた漏電防止部材も提案され、この漏電防止部材によっても前記と同様の作用効果が奏される旨が記載されている。
【特許文献１】特開２００６−１３６８１４号公報
【発明の開示】
【発明が解決しようとする課題】
【０００６】
前記特許文献１のものにおいては、前記環状凹部の奥底部は完全に閉じられている。これは、凹部（環状凹部）という要素名から必然と言うことができ、現に、開示されている実施の形態の全てに共通する特徴である。
【０００７】
前記特許文献１のものでも、噴霧作業を長時間又は長期間連続して行えば、前記環状凹部内へ噴霧液滴が入り込むことは避けられない。このため、定期的に前記環状凹部内を清掃し、該環状凹部内に入り込んだ農薬を完全に除去することが必要となる。
【０００８】
しかしながら、前記環状凹部の奥底部は閉じているので、洗浄のために使用した水が抜けにくく、前記環状凹部の奥底まで十分に清掃することが難しい。特に、ブームに沿って静電噴霧部を多数備えたブームスプレーヤにおいては、洗浄すべき漏電防止部材の数が多くなり、清掃作業が一層煩雑なものとなる。
【０００９】
本発明は、このような事情に鑑みてなされたもので、電線の表面に形成される噴霧液滴の連続膜を有効に途切れさせることができ、しかも、清掃も容易且つ確実に行うことができる静電噴霧装置を提供しようとするものである。
【００１０】
本発明はまた、噴霧液滴の連続膜を有効に途切れさせることができ、しかも、清掃も容易且つ確実に行うことができる電線ホルダを提供しようとするものである。
【課題を解決するための手段】
【００１１】
前記課題を解決するため、本発明に係る静電噴霧装置は、ブームの長さ方向に沿って配設された複数の静電噴霧部と、該複数の静電噴霧部のそれぞれに静電噴霧用の電圧を供給する電線と、該各電線を前記ブームに対して保持させるための電気絶縁性を有する電線ホルダを備えている静電噴霧装置であって、前記各電線ホルダは、前記電線が挿通される内筒部と、該内筒部の長さ方向の双方へと開口する環状隙間を前記内筒部の回りに画成する外筒部と、前記環状隙間を仕切ることなく前記内筒部と前記外筒部を該外筒部の内部で互いに連結する連結部を備えたものである（請求項１）。
【００１２】
本発明によれば、前記電線は、前記内筒部に挿通されて、前記電線ホルダによって前記ブームに保持される。静電噴霧により電荷を帯びた噴霧液滴は、前記電線の露出部及び前記外筒部の外表面には付着するとしても、前記環状隙間には入り込み難い。このため、前記噴霧液滴の連続膜は前記環状隙間で途切れることになり、前記静電噴霧部がアース電位部となる前記ブームと電気的に繋がり難い。よって、短絡や漏電等による電圧降下が防止される。
【００１３】
加えて、本発明によれば、前記環状隙間が前記内筒部の長さ方向の双方へ向けて開口しその全長に渡って連通しているので、前記環状隙間内に供給した洗浄水がその内部に残留してしまうことがない。このため、たとえ前記環状隙間に噴霧液滴が入り込んでしまったとしても、その内部を容易且つ確実に清掃することができる。個々の電線ホルダについて前記環状隙間の洗浄を容易に行えるので、前記電線ホルダの数が多くても、洗浄作業を容易、迅速且つ確実に行うことができる。
【００１４】
また、前記内筒部は、絶縁被覆された前記電線を挿通保持させる機能さえあれ良く、したがって、両端が開口した筒状のものでさえあれば良い。このため、前記内筒部の材質や形状の選択範囲が広いほか、シール部材等も不要となる。よって、前記電線ホルダの組付前後にかかわらず、前記電線を容易に挿脱できる。
【００１５】
なお、噴霧を長時間又は長期間に渡って継続すると、大気中を浮遊する噴霧液滴が、僅かずつであるとはいえ前記環状隙間に入り込んでしまうことも予想される。その場合の対策として、前記連結部は、前記外筒部内において前記静電噴霧部からできるだけ遠い位置に配設するのが好ましい。このようにすれば、前記環状隙間内に噴霧液滴の連続膜ができてしまうとしても、該連続膜が前記連結部にまで到達するのには時間がかかるので、前記静電噴霧部へと供給される高電圧が前記連続膜を通じて前記電線ホルダから前記ブームへとリークし始めるのを可及的に遅らせることができるからである。
【００１６】
好適な実施の一形態として、前記複数の静電噴霧部が前記電線で直列に接続され、前記連結部が、前記外筒部の長さ方向の中央位置に配設されているものとすることもできる（請求項２）。
【００１７】
この場合、前記各電線は、前記複数の静電噴霧部の内の二つを電気的に互いに接続する。このため、前記各電線及び前記各電線ホルダには、前記二つの静電噴霧部の双方から放出された噴霧液滴の一部が飛んできて付着することになる。よって、前記環状隙間にも、前記外筒部の長さ方向の双方から噴霧液滴が入り込んでしまうことが想定される。しかし、前記連結部が前記外筒部の長さ方向の中央位置に配設されていれば、前記環状隙間にいずれの方向から噴霧液滴が侵入した場合でも、該噴霧液滴の連続膜が前記連結部にまで到達するのには時間がかかる。よって、前記二つの静電噴霧部へと供給される高電圧が前記連続膜を通じて前記電線ホルダから前記ブームへとリークし始めるのを可及的に遅らせることができ、継続噴霧が可能な状態を可及的に長く維持することができる。
【００１８】
一方、本発明に係る電線ホルダは、静電噴霧用の電圧を静電噴霧部へと供給する電線を固定部に対して保持させるための、電気絶縁性を有する電線ホルダであって、前記電線が挿通される内筒部と、該内筒部の長さ方向の双方へと開口する環状隙間を前記内筒部の回りに画成する外筒部と、前記環状隙間を仕切ることなく前記内筒部と前記外筒部を該外筒部の内部で互いに連結する連結部を備えたものである（請求項３）。
【００１９】
本発明によれば、前記電線は、前記内筒部に挿通されて、前記電線ホルダによって前記固定部に支持される。前記電線ホルダによれば、静電噴霧により電荷を帯びた噴霧液滴は、前記外筒部の外表面には付着するとしても、前記環状隙間には入り込み難い。このため、前記電線の露出部及び前記外筒部の外表面に形成される噴霧液滴の連続膜は前記環状隙間で途切れることになり、前記静電噴霧部がアース電位部となる前記固定部と電気的に繋がり難い。よって、短絡や漏電等による電圧降下が防止される。
【００２０】
加えて、本発明によれば、前記環状隙間が前記内筒部の長さ方向の双方へ向けて開口しその全長に渡って連通しているので、前記環状隙間内に供給した洗浄水がその内部に残留してしまうことがない。このため、たとえ前記環状隙間に噴霧液滴が入り込んでしまったとしても、その内部を容易且つ確実に清掃することができる。
【００２１】
好適な実施の一形態として、前記連結部が、前記外筒部の長さ方向の中央位置に配設されたものとすることもできる（請求項４）。このようにすれば、前記環状隙間に前記外筒部の長さ方向のいずれの方向から噴霧液滴が侵入した場合でも、該噴霧液滴の連続膜が前記連結部にまで到達するのには時間がかかる。よって、前記静電噴霧部へと供給される高電圧が前記連続膜を通じて前記電線ホルダから前記固定部へとリークし始めるのを可及的に遅らせることができ、継続噴霧が可能な状態を可及的に長く維持することができる。
【発明を実施するための最良の形態】
【００２２】
以下、添付図面を参照して、本発明の一実施の形態について説明する。
【００２３】
図１は、本発明の実施の一形態に係る静電噴霧装置の要部正面図、図２は、図１に含まれている電線ホルダの拡大断面図、図３は、図２のＩＩＩ−ＩＩＩ矢視断面図である。
【００２４】
本発明に係る静電噴霧装置は、導電性液体の微小な噴霧液滴を帯電させ、対象物に効率的に付着させるための装置であり、図１では一例として、農作物に農薬や肥料等を噴霧するのに用いて好適なブームスプレーヤを示してある。
【００２５】
図１に示すように、本発明の一実施の形態に係る静電噴霧装置としてのブームスプレーヤ１は、移動可能な機体２と、該機体２に搭載されたブーム装置３を備えている。前記機体２の詳細な図示は省略しているが、乗用式であっても非乗用式であってもよい。図示してはいないが、前記機体２には、噴霧液タンクや、該噴霧液タンク内の噴霧液を前記ブーム装置３へと圧送する噴霧用ポンプ等が搭載されている。
【００２６】
前記ブーム装置３は、アルミニウム等の軽量素材で成形されたブーム４，５と、該ブーム４，５の下面に長さ方向に等間隔をおいて配設された複数の静電噴霧部６を備えている。前記ブームスプレーヤ１によれば、前記ブーム４，５を前記機体２の進行方向の左右いずれか側方へと展張し、前記各静電噴霧部６から静電噴霧を行うことで、一度に広幅の噴霧を行うことができる。
【００２７】
限定はされないが、本実施の形態では、圃場の広狭に自在に対応できるように、前記ブーム装置３が伸縮式とされている。すなわち、前記ブームは元ブーム４と先ブーム５に分割されていて、前記機体２に支持された前記元ブーム４に沿って、前記先ブーム５が長さ方向に移動自在とされている。前記元ブーム４と前記先ブーム５のそれぞれに、前記静電噴霧部６が等間隔で配設されている。
【００２８】
前記各静電噴霧部６は、液体を微小な液滴Ｓにして拡散噴霧する噴霧ノズル７と、前記噴霧液滴Ｓの拡散範囲の外側に近接して配置されて前記液滴Ｓに電荷を付与する電極８と、前記噴霧ノズル７の周囲を覆うノズルカバー９を備えている。
【００２９】
前記噴霧ノズル７は、前記各ブーム４，５に沿って配設された図示しない送液管路に連通しており、前記各ブーム４，５の下方の農作物等へ向けて防除剤等の液体を噴霧する。前記噴霧液タンク内の液体は、前記噴霧用ポンプによって、前記送液管路を介して前記各噴霧ノズル６へと圧送される。
【００３０】
前記電極８は、本実施の形態では環状の電極とされ、前記噴霧ノズル７の噴霧方向の前方となる下方位置に同心に配設されている。前記各ブーム４，５に対応させて昇圧器１０，１１がそれぞれ配設され、該各昇圧器１０，１１は、電線（高圧電線）１２を介して前記各ブーム４，５の前記各電極８へと接続されている。本実施の形態では、前記各ブーム４，５ごとに、前記静電噴霧部６の前記電極８が前記高圧電線１２で直列に接続されている。前記各昇圧器１０，１１は、前記機体２に搭載した電源１３に対して、低圧電線１４でそれぞれ接続されている。前記各昇圧器１０，１１は、前記電源１３から６Ｖ程度の低電圧で供給される電力の電圧を、例えば４．５ｋＶ程度まで昇圧して前記各電極８へと供給する。
【００３１】
なお、前記先ブーム５が前記元ブーム４に支持された状態で伸縮作動する関係上、前記先ブーム５側の前記昇圧器１１に対しては、前記低圧電線１４の一部として、伸縮自在なカールコード１４ａを用いている。前記カールコード１４ａは、前記元ブーム４上に架設されたガイドワイヤ１５に支持されて案内される。
【００３２】
前記噴霧ノズル７から噴霧された液滴Ｓは、拡散しながら前記電極８内の空間を通過して大気中に放出される。前記噴霧液滴Ｓには、前記電極８内を通過する際に、該電極８により電荷が付与される。このため、逆極性を有する対象物への前記噴霧液滴Ｓの付着性が向上する。
【００３３】
前記ノズルカバー９は、前記噴霧ノズル７の周囲を覆うとともに、前記電極８を保持している。前記ノズルカバー９は電気絶縁性を有し、前記噴霧ノズル７から前記ノズルカバー９の外部へと放出された噴霧液滴Ｓが、アース電位部となる前記噴霧ノズル９の周面に付着するのを防止する。
【００３４】
前記ノズルカバー９の周面には、前記噴霧ノズル７から液体が噴霧されることによって生ずる負圧で外部の空気を取り込むための吸気口１６が形成されている。前記噴霧ノズル７からの液体噴霧に伴い、前記吸気口１６から噴霧方向へと流れる空気の連続流Ａが前記ノズルカバー９内に形成されるので、該ノズルカバー９内に前記噴霧液滴Ｓが入り込み難くなる。
【００３５】
前記静電噴霧部６，６間を連結する前記各高圧電線１２は、本発明の一実施の形態に係る電線ホルダ１７によって前記ブーム４，５に保持されている。前記各電線ホルダ１７の全長は、互いに隣接する前記静電噴霧部６，６同士の間の距離（例えば、３０ｃｍ）より短く（例えば、１０〜１５ｃｍに）設定されている。そして、前記各電線ホルダ１７は、前記複数の静電噴霧部６の互いに隣接するもの同士の間に配設され、前記各ブーム４，５と長さ方向を一致させて該各ブーム４，５の下面に対して固定されている。前記各電線ホルダ１７は、前記各高圧電線１２が前記静電噴霧部６，６間で下方へ垂れ下がることを防止して前記各高圧電線１２を保護する。
【００３６】
ところで、前記各静電噴霧部６から放出された噴霧液滴Ｓは、帯電しているので農作物への付着性が向上するが、それと同じく、前記電極８、前記静電噴霧部６の近傍の前記各高圧電線１２や前記電線ホルダ１７、あるいは、アース電位部となる前記ブーム４，５にも付着しやすい。前記各電極８、前記各高圧電線１２及び前記各電極ホルダ１７に付着した噴霧液滴Ｓが連続膜となって前記ブーム４，５にまで到達してしまうと、前記噴霧液滴Ｓが導電性を有することから前記連続膜を介して高電圧のリークが生じ、静電付与に必要な高電圧が前記電極８に有効に印加されなくなってしまう。
【００３７】
そこで、本実施の形態では、前記各電線ホルダ１７を特殊な構成にすることで、該各電線ホルダ１７に前記噴霧液滴Ｓの連続膜の遮断作用を持たせている。具体的には、次の通りである。
【００３８】
図２に示すように、前記各電線ホルダ１７は、前記高圧電線１２が挿通される内筒部１８と、該内筒部１８の長さ方向の双方へと開口する環状隙間１９を前記内筒部１８の回りに画成する外筒部２０と、前記環状隙間１９を仕切ることなく前記内筒部１８と前記外筒部２０を該外筒部２０の内部で互いに連結する連結部２１を備えている。
【００３９】
前記各電線ホルダ１７は、プラスチック等の電気絶縁材料で形成する。但し、これは、前記各電線ホルダ１７の表面、すなわち、前記内筒部１８及び前記外筒部２０のそれぞれの内外周面及び端面、並びに前記連結部２１の表面が電気絶縁材料であることを要求する趣旨であり、導電材料の回りに電気絶縁材料の被覆が施されている場合も含む。
【００４０】
前記内筒部１８は、前記高圧電線１２を挿通し得る内径を有する。該高圧電線１２は、導電ケーブル２２と、該導電ケーブル２２を被覆する電気絶縁チューブ２３を備える。前記内筒部１８は、筒壁の全てが閉じている必要はなく、該筒壁が網状のものであってもよい。前記内筒部１８は、絶縁被覆された前記高圧電線１２を挿通保持させる機能さえあれ良く、したがって、両端が開口した筒状のものでさえあれば良い。このため、前記内筒部１８の材質や形状の選択範囲が広いほか、シール部材等も不要となる。よって、前記電線ホルダ１７を前記ブーム４，５へ組付けた後であっても、前記高圧電線１２を容易に挿脱できる。
【００４１】
前記外筒部２０の内部には前記内筒部１８が収容されている。図２では、前記外筒部２０と前記内筒部１８が同心に配置されているが、必ずしも同心である必要はなく、前記外筒部２０の内周面２０ａと前記内筒部１８の外周面１８ａが接触していなければよい。その結果、前記外筒部２０と前記内筒部１８の間には前記環状隙間１９が形成される。該環状隙間１９は、前記外筒部２０及び前記内筒部１８の長さ方向の双方へ向けて開口する。
【００４２】
前記電線ホルダ１７は、前記外筒部２０を固定部となる前記ブーム４，５に対して支持させることで、該ブーム４，５に対して取り付けられる。前記外筒部２０を前記ブーム４，５に接触させて取り付けても良いが、好ましくはスペーサ２４を用い、前記外筒部２０を前記ブーム４，５から離した状態で支持させる。
【００４３】
前記スペーサ２４は、前記外筒部２０と予め一体に形成しても良いし、また、前記電線ホルダ１７とは別体のものとして作製し、前記ブーム４，５に前記電線ホルダ１７を取り付ける際に該電線ホルダ１７に対して連結してもよい。前記スペーサ２４も、プラスチック等の電気絶縁材料で形成するのが好ましい。前記スペーサ２４は、ねじ２５等の固定具を用いて前記ブーム４，５に対して固定することができる。
【００４４】
前記構成によれば、前記静電噴霧部６から大気中に放出された前記噴霧液滴Ｓは、前記高圧電線１２の前記電線ホルダ１７から露出している部分１２ａや前記外筒部２０の外周面には付着するとしても、前記環状隙間１９内へは入り込み難い。このため、前記高圧電線１２の露出部分１２ａに付着する噴霧液滴Ｓと前記外筒部２０の外周面に付着する噴霧液滴Ｓとが互いに連続してしまうことが防止できる。よって、前記電極８がアース電位部となる前記ブーム４，５と電気的に繋がり難く、短絡や漏電等による電圧降下が防止される。
【００４５】
前記連結部２１は、前記環状隙間１９を仕切ることなく前記外筒部２０内において前記内筒部１８を支持する。
【００４６】
ところで、噴霧を長時間又は長期間に渡って継続すると、大気中を浮遊する噴霧液滴Ｓが、僅かずつであるとはいえ前記環状隙間１９に入り込んでしまうことも予想される。その場合の対策として、前記連結部２１は、前記外筒部２０内において前記静電噴霧部６からできるだけ遠い位置に配設し、且つ、前記外筒部２０の長さ方向における広がりをできるだけ小さく抑えて配設するのが好ましい。このようにすれば、前記環状隙間１９内に噴霧液滴Ｓの連続膜ができてしまうとしても、該連続膜が前記連結部２１にまで到達するのには時間がかかるので、前記静電噴霧部６へと供給される高電圧が前記連続膜を通じて前記電線ホルダ１７から前記ブーム４，５へとリークし始めるのを可及的に遅らせることができるからである。
【００４７】
本実施の形態では、前記電線ホルダ１７の左右両側に前記静電噴霧部６が位置しているので、前記電線ホルダ１７の左右両端部付近の空気中をほぼ均等に前記噴霧液滴Ｓが浮遊する。よって、前記環状隙間１９内へ前記噴霧液滴Ｓが侵入してくるとすれば、その侵入量及び侵入速度は、前記電線ホルダ１７の左半分と右半部でほぼ均等であると推測できる。そこで、図２に示すように、前記連結部２１を前記外筒部２０の長さ方向の中央位置に配設するのが好ましい。このようにすれば、前記電線ホルダ１７の左右いずれの端部から前記環状隙間１９内に前記噴霧液滴Ｓが入り込んだとしても、該噴霧液滴Ｓの連続膜が前記連結部２１にまで到達するのには時間がかかるので、該連結部２１に付着する噴霧液滴Ｓが高電圧リークに関与するのを可及的に遅らせることができる。
【００４８】
前記連結部２１は、図３に示すように、前記外筒部２０と前記内筒部１８の周方向に間隔をおいて複数（図３の例では等角度間隔で三つ）形成されている。これにより、前記環状隙間１９が前記外筒部２０の長さ方向の双方へ向けて開口し、且つ、二つの開口部１９ａ，１９ｂが前記内外の筒部１８，２０間でその全長に渡って連通している状態が確保される。
【００４９】
前記構成の電線ホルダ１７によれば、前記環状隙間１９が前記外筒部２０の全長に渡って連通し、左右の両端部１９ａ，１９ｂが開口しているので、前記環状隙間１９に前記噴霧液滴Ｓが入り込んでしまった場合でも、洗浄水で容易に洗浄することができる。また、洗浄水が前記環状隙間１９に残留することもない。よって、洗浄すべき前記電線ホルダ１７が多数あっても、それらの清掃作業を容易に、迅速に且つ確実に行うことができる。
【００５０】
なお、前記電線ホルダ１７は、図１のようなブームスプレーヤのみでなく、複数の静電噴霧部を備える多様な噴霧竿に使用できるので、手持式噴霧竿の先端部に静電噴霧部を有する手持式静電噴霧装置の電線についても使用できることは勿論である。この場合には、前記連結部２１を、前記外筒部２０内において前記静電噴霧部から遠い一端部寄りの位置に設ける等、適宜修正を加えた電線ホルダを用いることができる。
【図面の簡単な説明】
【００５１】
【図１】本発明の実施の一形態に係る静電噴霧装置（ブームスプレーヤ）の要部正面図である。
【図２】図１に含まれている電線ホルダの拡大断面図である。
【図３】図２のＩＩＩ−ＩＩＩ矢視断面図である。
【符号の説明】
【００５２】
１    静電噴霧装置（ブームスプレーヤ）
４，５  ブーム
６    静電噴霧部
１２  電線（高圧電線）
１７  電線ホルダ
１８  内筒部
１９  環状隙間
２０  外筒部
２１  連結部
【図１】
2008142663.tif 000003
【図２】
2008142663.tif 000004
【図３】
2008142663.tif 000005